(57)【要約】【課題】ダイナモライトや電池給電式ライトの照明器具の向きを支持体に対して変更できる照明器具取付け具を提供する。また、照明器具を円筒状（円柱状）の支持体ばかりでなく、平面の支持体に対して取り付けることができる照明器具取付け具を提供する。【解決手段】照明器具取付け具は、支持体を取り付けるためのバンド部品と、バンド部品によって支持体に取り付けられるパイプ固定台と、パイプ固定台に対して回動可能に取り付けられる回転台と、回転台に対して回転可能に取り付けられるホルダー部品と、  ホルダー部品に対してスライドして着脱可能に取り付けられ、且つ照明器具を取り付けるライト固定具と、からなる。【選択図】  図６
2009134871.tif 000002
【特許請求の範囲】
【請求項１】
支持体を取り付けるためのバンド部品と、
該バンド部品によって支持体に取り付けられるパイプ固定台と、
該パイプ固定台に対して回動可能に取り付けられる回転台と、
該回転台に対して回転可能に取り付けられるホルダー部品と、
該ホルダー部品に対してスライドして着脱可能に取り付けられ、且つ照明器具を取り付けるライト固定具と、
を有することを特徴とする照明器具取付け具。
【請求項２】
請求項１記載の照明器具取付け具において、前記ライト固定具は磁石を有することを特徴とする照明器具取付け具。
【発明の詳細な説明】
【技術分野】
【０００１】
本発明は、照明器具取付け具に関し、特に、ダイナモライトや電池給電式ライトを取り付ける照明器具取付け具に関する。なお、以下の説明では、本発明を主にダイナモライトを例にとり説明するが、電池給電式ライトにも適用できるものである。
【背景技術】
【０００２】
図８はダイナモライトの一例を示す正面図であり、図９はダイナモライトの一例を示す側面図である。図８、図９に示すように、ダイナモライト１０は、本体１０ａの前方の透明プラスチック内に横方向に３つのＬＥＤ１０ｂ〜１０ｄを有する。このため、ダイナモライト１０は、この状態で水平方向（横個方向）に広がる光を照射できる。ダイナモライト１０は、本体１０ａの上部に制御スイッチ１０ｅを有し、この制御スイッチ１０ｅで、例えば、３つのＬＥＤ１０ｂ〜１０ｄのうちの中央のＬＥＤ１０ｃだけの点灯、３つのＬＥＤ１０ｂ〜１０ｄの同時点灯、３つのＬＥＤ１０ｂ〜１０ｄの点滅、消灯を行うことができる。ダイナモライト１０は本体１０ａの下部に横方向に回転可能な支点１０ｇを中心に上下方向に回動するレバー１０ｆを有し、このレバー１０ｆを支点１０ｇを中心にして反対側まで回動して、レバー１０ｆの上部に取り付けられた摘み（図示せず）を指で摘んで回転させることにより、ダイナモに起電力を生じさせることができる。
【発明の開示】
【発明が解決しようとする課題】
【０００３】
図１０はダイナモライトを取り付けた従来例の取付け具を示す正面図であり、図１１はダイナモライトを取り付けた従来例の取付け具を示す側面図である。図１０、図１１に示すように、ダイナモライト１０は取付け具１００に取り付けられている。取付け具１００は、例えば、自転車の円筒形のハンドル（図示せず）に装着されるための断面円形の貫通孔１００ａを有する。自転車の水平のハンドルにダイナモライト１０がこの取付け具によって取り付けられた場合、３つのＬＥＤ１０ｂ〜１０ｄで照射される光は水平方向に広がる。
【０００４】
しかし、この従来例の取付け具１００は、ハンドルに対してダイナモライト１０の角度を変えることができないものであった。このため、取付け具１００がハンドルの傾斜した部分や、垂直に近い支持体（図示せず）に装着された場合には、照射される光は水平方向に広がらず、水平に対して傾斜した方向、または垂直方向に広がることになる。一方、水平に対して傾斜した支持体や垂直な支持体に装着して、水平方向に広がる光を得たいと要望がある。さらに、場合によっては、ダイナモライトを円筒状（円柱状）の支持体ばかりなく、平らな平面に取り付けて用いるのが便利なことがある。
【０００５】
したがって、本発明の目的は、ダイナモライト等の照明器具の向きを支持体に対して変更できる照明器具取付け具を提供することにある。
【０００６】
本発明の他の目的は、ダイナモライト等の照明器具を円筒状（円柱状）の支持体ばかりでなく、平面の支持体に対して取り付けることができる照明器具取付け具を提供することにある。
【課題を解決するための手段】
【０００７】
本発明の照明器具取付け具は、支持体を取り付けるためのバンド部品と、該バンド部品によって支持体に取り付けられるパイプ固定台と、該パイプ固定台に対して回動可能に取り付けられる回転台と、該回転台に対して回転可能に取り付けられるホルダー部品と、該ホルダー部品に対してスライドして着脱可能に取り付けられ、且つ照明器具を取り付けるライト固定具と、を有することを特徴とする。なお、前記ライト固定具は磁石を有することが好ましい。
【発明の効果】
【０００８】
本発明によれば、ダイナモライト等の照明器具の向きを支持体に対して変更できる照明器具取付け具が得られる。照明器具の向きを支持体に対して変更できるので、杖のようなほぼ垂直に立てて使用するものに取り付けた場合、ほぼ水平方向に広がる光を得ることができ、例えば、夕方や夜間に杖を使用する際の安全対策に役立つ。
【０００９】
また、照明器具を円筒状（円柱状）の支持体ばかりでなく、平面の支持体に対して取り付けることができる照明器具取付け具が得られる。したがって、現場に円筒状の支持体がない場合等に、磁化する金属平面に取り付けることができる。
【発明を実施するための最良の形態】
【００１０】
本発明の照明器具取付け具は、支持体を取り付けるためのバンド部品と、該バンド部品によって支持体に取り付けられるパイプ固定台と、該パイプ固定台に対して回動可能に取り付けられる回転台と、該回転台に対して回転可能に取り付けられるホルダー部品と、該ホルダー部品に対してスライドして着脱可能に取り付けられ、且つ照明器具を取り付けるライト固定具と、を有する。なお、前記ライト固定具は磁石を有することが好ましい。
【実施例】
【００１１】
次に、図面を参照して、本発明を説明する。図１〜図５は、本発明のダイナモライト取付け具を構成する各部品を示す図である。図１はライト固定具を示す図であり、そのうち、図１ａは平面図であり、図１ｂは側面図であり、図１ｃは側面図であり、図１ｄは斜視図である。図２はホルダー部品を示す図であり、そのうち、図２ａは平面図であり、図２ｂは側面図であり、図２ｃは側面図であり、図２ｄは斜視図である。図３は回転台を示す図であり、そのうち、図３ａは平面図であり、図３ｂは側面図であり、図３ｃは側面図であり、図３ｄは斜視図である。図４はパイプ固定台を示す図であり、そのうち、図４ａは平面図であり、図４ｂは側面図であり、図４ｃは側面図であり、図４ｄは斜視図である。図５はバンド部品を示す図であり、そのうち、図５ａは平面図であり、図５ｂは側面図であり、図５ｃは側面図である。図６は支持体に装着した取付け具の或る状態を示す斜視図である。図７は支持体に装着した取付け具の他の状態を示す斜視図である。
【００１２】
図１に示すように、ライト固定具１２は、本体１２ａの上部中央に、段差のある円柱部分１２ｂと、片方の端部から上方に直立する部分から本体１２ａに平行に伸びる２つの直方体部分１２ｃを有する。これらの円柱部分１２ｂと直方体部分１２ｃは、ダイナモライトに形成された円筒状溝（図示せず）と四角形状溝（図示せず）に嵌合され、ダイナモライトをライト固定具に対して定位置に固定するために設けられている。ライト固定具１２は、さらに、本体１２ａの両側部に形成された溝１２ｄを有する。これらの溝１２は、後述するホルダー部品１４に形成されたチャンネル部分に対してスライドされホルダー部品に取り付けられるためのものである。ライト固定具１２はさらに例えば、２つの磁石１０ｅを有し、これらの磁石１２ｅは、ダイナモライト１０を取り付けた状態で、ライト固定具１２を磁化する金属の平面、例えば、机の袖部分に取り付けるために用いることができる。
【００１３】
図２に示すように、ホルダー部品１４は本体１４ａの両側部にチャンネル部分１４ｂが形成されている。これらのチャンネル部分１４ｂは、ライト固定具１２をスライドすることによって前述のライト固定具１２の溝１２ｄと嵌合する。ホルダー部品１４はそのほぼ中央に２つの断面円弧状の突起部分１４ｃを有し、これらの突起部分１４ｃは後述する回転台の円形開口に回転可能に取り付けるために用いられる。ホルダ−部品１４はさらに突起部分１４ｃに隣接してぼっち（位置決め突起）１４ｄを有する。このぼっち１４ｄは後述する回転台の円状に形成されたぎざぎざ部分（ローレット）に係合し、ホルダー部品１４を回転台に対して回転させた任意の位置に位置決めするために用いられる。
【００１４】
図３に示すように、回転台１６は本体１６ａに円形開口１６ｂが形成されている。この開口は前述のホルダー部品１４の突起部分１４ｃが挿入されるためのものである。円形開口１６ｂの外側には、円形のぎざぎざ部分１６ｃが形成されている。回転台１６の円形開口１６ｂにホルダー部品１４の突起部分１４ｃが挿入された状態では、円形のぎざぎざ部分１６ｃの一箇所が前述のホルダー部品１４のぼっち１４ｄに係合した状態になる。このため、回転台に対してホルダー部品１４を回転させて任意の位置で位置決めできる。回転台１６は、さらに、本体１６ａの両端に直立部分１６ｆを有し、その下端は半円形に形成されている。一方の半円形部分には、例えば、１２０°にわたってぎざぎざ部分１６ｅが形成されている。また、回転台１６は、これらの直立部分１６ｆに円形開口１６ｄが形成されている。これらの円形開口１６ｄは、後述するパイプ（円筒状、円柱状の支持体）固定台が回転台の直立部分１６ｆの間に挿入されたときに、パイプ固定台の突起に嵌合する。この状態では、ぎざぎざ部分１６ｅは後述するパイプ固定台のぼっちに係合した状態になる。
【００１５】
図４に示すように、パイプ固定台１８では、本体１８ａの上部が内空１８ｇを形成するようにその両端に壁１８ｆを有し、これらの壁の中央には突起１８ｂが形成されている。これらの突起１８ｂは、パイプ固定台１８の上部が回転台１６の直立部分１６ｆの間に挿入された場合、回転台１６の円形開口１６ｄに嵌合され、位置決めされ固定される。パイプ固定台１８は、さらに、本体１８ａの片側中央にぼっち１８ｃを有する。パイプ固定台１８の上部が回転台１６に固定されたとき、パイプ固定台１８のぼっち１８ｃは回転台１６のぎざぎざ部分１６に係合する。このため、回転台１６はパイプ固定台１８に対して回動して１２０°の範囲の任意の位置で位置決めされることができる。パイプ固定台１８の下部部分の両端には、貫通孔１８ｄが形成されており、さらに、一方の下部分には、後述するバンド部品２０の一端を固定するための突起１８ｅが形成されている。
【００１６】
図５に示すように、例えばゴム等の可撓性材料で形成されたバンド部品２０は、その本体２０ａに、一方の端部に固定用の複数の円弧状のスロット２０ｃが形成されており、他端には固定用の突起２０ｂが形成されている。バンド部品２０は、スロット２０ｃが形成されている側の先端を、パイプ固定台１８の突起１８ｅが形成されていない方の貫通孔１８ｄに，図４において上側から、その突起２０ｂがパイプ固定台１８の本体１８ａに当接するまで通し、パイプ固定台１８の下端にもたらした、例えば、自転車のハンドルのような支持体の下側に沿ってまわし、円弧状のスロット２０ｃ側の先端を突起１８ｅが形成されている方の貫通孔１８ｄを下方から通し、貫通孔１８ｄを通った先端を折り曲げてスロット２０ｃの１つをパイプ固定台１８の突起に嵌合することによって、支持体に取り付けられる。ダイナモライト１０、ライト固定具１２、ホルダー部品１４、回転台１６、パイプ固定台１８は通常予め組立てられており、この状態で、支持体にダイナモライトが支持体に装着されることになる。
【００１７】
図６に示すように、ダイナモライト（図示せず）が取りけられたライト固定具１２、ホルダー部品１４、回転台１６、パイプ固定台１８、バンド部品２０は組立てられてダイナモライト取付け具を構成しており、このダイナモライト取付け具は支持体２２に装着されている。支持体２２が水平方向に配置されたものであるときには、ダイナモライトから出る光は水平方向に広がる向きにある。
【００１８】
一方、図７に示すように、ダイナモライト取付け具において、図６の状態から、パイプ固定台１８に対して回転台を回動させ、さらに回転台１８に対してホルダー部品１６を回転させることによって、支持体２２が垂直方向に配置されたものであるときでも、ダイナモライトから出る光をほぼ水平方向に広がる向きにすることができる。もちろん、支持体２２に対してダイナモライトの向きを広範囲の向きに変えることができる。
【００１９】
さらに、ホルダー部品１４からライト固定台１２をスライドすることによって取り外し、平面部材に装着することもできる。
【００２０】
図１２は滑り止めゴム部品を示す図であり、そのうち、図１２ａは平面図であり、図１２ｂは正面図である。図１３は滑り止めゴム部品を示す斜視図である。前述したように、支持体２２に対してバンド部品を用いてダイナモライトを直接支持する代わりに、滑り止めゴム部品を支持体とバンド部品との間に介在させて支持体に対するダイナモライトの回動運動をさらに確実に抑制してもよい。
【００２１】
図１２、図１３に示すように、滑り止めゴム部品２４は、断面ほぼ半円形形状の滑り止めゴム部品本体２４ａにスロット２４ｂが両方の下端に形成されている。最初にバンド部品２０を上方から滑り止めゴム部品２４のスロット２４ｂに通し、その後、バンド部品２０をパイプ固定台１８の貫通孔１８ｄに通してダイナモライトを支持体２２に固定する。
【００２２】
前述の実施例では、ダイナモライトを照明器具の例として説明してきたが、電池給電式ライトにも同様に適用できるものである。この場合、ダイナモライト１０が有する支点１０ｇを中心にして回動可能なレバー１０ｆと同様な構造を持つ必要がある。このような構造を有すれば、本発明の照明器具取付け具によって電池給電式ライトを支持体に取付けることができる。
【図面の簡単な説明】
【００２３】
【図１】ライト固定具を示す図であり、そのうち、図１ａは平面図であり、図１ｂは側面図であり、図１は側面図であり、図１ｄは斜視図である。
【図２】ホルダー部品を示す図であり、そのうち、図２ａは平面図であり、図２ｂは側面図であり、図２ｃは側面図であり、図２ｄは斜視図である。
【図３】回転台を示す図であり、そのうち、図３ａは平面図であり、図３ｂは側面図であり、図３ｃは側面図であり、図４ｄは斜視図である。
【図４】パイプ固定台を示す図であり、そのうち、図４ａは平面図であり、図４ｂは側面図であり、図４ｃは側面図であり、図４ｄは斜視図である。
【図５】バンド部品を示す図であり、そのうち、図５ａは平面図であり、図５ｂは側面図であり、図５ｃは側面図である。
【図６】支持体に装着した取付け具の或る状態を示す斜視図である。
【図７】支持体に装着した取付け具の他の状態を示す斜視図である。
【図８】ダイナモライトの一例を示す正面図である。
【図９】ダイナモライトの一例を示す側面図である。
【図１０】ダイナモライトを取り付けた従来例の取付け具を示す正面図である。
【図１１】ダイナモライトを取り付けた従来例の取付け具を示す側面図である。
【図１２】滑り止めゴム部品を示す図であり、そのうち、図１２ａは平面図であり、図１２ｂは正面図である。
【図１３】滑り止めゴム部品を示す斜視図である。
【符号の説明】
【００２４】
１０  ダイナモライト
１２  ライト固定具
１４  ホルダー部品
１６  回転台
１８  パイプ固定台
２０  バンド部品
２２  支持体（自転車のハンドル等）
２４  滑り止めゴム部品
【図１】
2009134871.tif 000003
【図２】
2009134871.tif 000004
【図３】
2009134871.tif 000005
【図４】
2009134871.tif 000006
【図５】
2009134871.tif 000007
【図６】
2009134871.tif 000008
【図７】
2009134871.tif 000009
【図８】
2009134871.tif 000010
【図９】
2009134871.tif 000011
【図１０】
2009134871.tif 000012
【図１１】
2009134871.tif 000013
【図１２】
2009134871.tif 000014
【図１３】
2009134871.tif 000015